(57)【要約】【課題】コスト削減を図りつつ、容易且つ効率的に無線通信が行える通信システムを提供する。【解決手段】無線端末１０５（ｘ）を有する通信ネットワークシステム１００において、無線通信端末１０５（ｘ）は、アクセスポイント１０１（ｘ）を介した無線通信が可能である位置に関する情報である認証位置情報を保持し、当該認証位置情報と、無線通信端末１０５（ｘ）或いはアクセスポイント１０１（ｘ）が検知した、無線通信端末１０５（ｘ）が現在存在する物理的な位置に関する情報である存在位置情報とを比較することで、無線通信端末１０５（ｘ）がアクセスポイント１０１（ｘ）に接続可能であるか否かを決定する。【選択図】　図１
2004015228.tif 000002
【特許請求の範囲】
【請求項１】
ネットワーク内のアクセスポイントを介して無線通信する通信装置であって、
上記アクセスポイントを介した無線通信が可能である位置に関する情報である認証位置情報を記憶する記憶手段を備えることを特徴とする通信装置。
【請求項２】
上記アクセスポイントからの信号を受信し、当該信号の強度を取得する通信手段を備えることを特徴とする請求項１記載の通信装置。
【請求項３】
上記通信手段で得られたアクセスポイントからの信号の強度に基づいて、本装置の現在の存在位置に関する情報である存在位置情報を取得する位置取得手段を備えることを特徴とする請求項２記載の通信装置。
【請求項４】
上記アクセスポイントに対して、上記認証位置情報を送信する通信手段を備えることを特徴とする請求項１記載の通信装置。
【請求項５】
上記通信手段は、上記アクセスポイントに対して、上記存在位置情報を送信することを特徴とする請求項３記載の通信装置。
【請求項６】
上記記憶手段は、上記認証位置情報を、本装置に着脱可能な記録媒体に対して再生可能に記憶することを特徴とする請求項１記載の通信装置。
【請求項７】
上記記憶手段は、暗号化された上記認証位置情報を記憶することを特徴とする請求項１記載の通信装置。
【請求項８】
上記アクセスポイントからの信号を受信し、当該信号の強度を取得する通信手段と、
上記通信手段で得られた信号強度に基づいて、本装置の現在の存在位置に関する情報である存在位置情報を取得する位置取得手段と、
上記記憶手段に記憶された認証位置情報と、上記位置取得手段で得られた存在位置情報とを比較する比較手段とを備えることを特徴とする請求項１記載の通信装置。
【請求項９】
上記認証位置情報及び上記存在位置情報はそれぞれ、暗号化された情報を含むことを特徴とする請求項８記載の通信装置。
【請求項１０】
上記通信手段は、上記比較手段の比較結果に基づき、上記アクセスポイントに対して、認証要求を送信することを特徴とする請求項８記載の通信装置。
【請求項１１】
無線端末に対して、ネットワークを介した無線通信によるデータの送受信を許可する通信装置であって、
上記無線端末とデータの送受信を行う通信手段と、
上記無線端末の現在位置を検知し、当該検知位置に関する情報である存在位置情報を取得する位置検知手段と、
上記無線端末から送信された、上記アクセスポイントを介した無線通信が可能である位置に関する情報である認証位置情報と、上記位置検知手段で得られた存在位置情報とを比較する比較手段とを備えることを特徴とする通信装置。
【請求項１２】
上記比較手段の比較結果に基づいて、上記無線端末の通信を許可するか否かを決定する認証手段を備えることを特徴とする請求項１１記載の通信装置。
【請求項１３】
複数の機器が互いに通信可能に接続されてなる通信システムであって、
上記複数の機器のうち少なくとも１つの機器は、請求項１〜１２の何れかに記載の通信装置の機能を有することを特徴とする通信システム。
【請求項１４】
無線端末が、ネットワーク内のアクセスポイントを介して無線通信によりデータの送受信を行なうための通信方法であって、
上記無線端末が、上記アクセスポイントを介した無線通信が可能である位置に関する情報である認証位置情報を記憶した記憶手段から、当該認証位置情報を読み出すステップを含むことを特徴とする通信方法。
【請求項１５】
ネットワーク上のアクセスポイントが、無線端末に対して、ネットワークに接続し無線通信によるデータの送受信を許可するための通信方法であって、
上記アクセスポイントの処理ステップは、
上記無線端末とデータの送受信を行うステップと、
上記無線端末の位置を検知し、当該検知位置に関する情報である存在位置情報を取得するステップと、
上記無線端末から送信された、上記アクセスポイントを介した無線通信が可能である位置に関する情報である認証位置情報と、上記存在位置情報とを比較するステップとを含むことを特徴とする通信方法。
【請求項１６】
コンピュータに所定の手段として機能させるためのプログラムであって、
上記所定の手段は、ネットワーク内のアクセスポイントを介して無線通信する手段であって、
上記アクセスポイントを介した無線通信が可能である位置に関する情報である認証位置情報を記憶する記憶手段を含むことを特徴とするプログラム。
【請求項１７】
コンピュータに所定の手段として機能させるためのプログラムであって、
上記所定の手段は、無線端末に対して、ネットワークを介した無線通信によるデータの送受信を許可する手段であって、
上記無線端末とデータの送受信を行う通信手段と、
上記無線端末の位置を検知し、当該検知位置に関する情報である存在位置情報を取得する位置検知手段と、
上記無線端末から送信された、上記アクセスポイントを介した無線通信が可能である位置に関する情報である認証位置情報と、上記位置検知手段で得られた存在位置情報とを比較する比較手段とを含むことを特徴とするプログラム。
【請求項１８】
コンピュータに所定のステップを実行させるためのプログラムであって、
上記所定のステップは、無線端末が、ネットワーク内のアクセスポイントを介して無線通信によりデータの送受信を行なうための処理ステップであって、
上記無線端末が、上記アクセスポイントを介した無線通信が可能である位置に関する情報である認証位置情報を記憶した記憶手段から、当該認証位置情報を読み出すステップを含むことを特徴とするプログラム。
【請求項１９】
コンピュータに所定のステップを実行させるためのプログラムであって、
上記所定のステップは、ネットワーク上のアクセスポイントが、無線端末に対して、ネットワークに接続し無線通信によるデータの送受信を許可するための処理ステップであって、
上記アクセスポイントが、
上記無線端末とデータの送受信を行うステップと、
上記無線端末の位置を検知し、当該検知位置に関する情報である存在位置情報を取得するステップと、
上記無線端末から送信された、上記アクセスポイントを介した無線通信が可能である位置に関する情報である認証位置情報と、上記存在位置情報とを比較するステップとを含むことを特徴とするプログラム。
【請求項２０】
請求項１６〜１９の何れかに記載のプログラムを記録したことを特徴とするコンピュータ読出可能な記憶媒体。
【発明の詳細な説明】
【０００１】
【発明の属する技術分野】
本発明は、例えば、移動可能な無線端末装置が存在する物理的な位置に基づき、親機（アクセスポイント）へのアクセス制御を行うことで、セキュリティを確保するための装置或いはシステムに用いられる、通信装置、通信システム、通信方法、それを実施するためのプログラムを記憶したコンピュータ読出可能な記憶媒体、及び当該プログラムに関するものである。
【０００２】
【従来の技術】
従来より例えば、無線ネットワークシステムの代表的なものとして、図１０に示すような構成を有するシステム１５００や、図２に示すような構成を有するシステム１６００が挙げられる。
【０００３】
上記図１０に示す無線ネットワークシステム１５００では、同図に示すように、無線端末装置１５０１（１）〜１５０１（３）がそれぞれ、直接相互に無線通信するように構成されている。
【０００４】
一方、上記図１１に示す無線ネットワークシステム１６００は、同図に示すように、有線ＬＡＮ１６０１と、有線ＬＡＮ１６０１に対してツイストペアケーブル等により有線接続されている有線端末装置１６０２と、無線端末装置１６０４（１）〜１６０４（３）と、無線端末装置１６０４（１）〜１６０４（３）間の通信及び／又は無線端末装置１６０４（１）〜１６０４（３）と有線端末装置１６０２との間の通信の中継をそれぞれ行う通信装置であるアクセスポイント（ＡＰ）１６０３（１），１６０３（２）とから構成される。
【０００５】
上記図１１に示す無線ネットワークシステム１６００において、例えば、無線端末装置１６０４（１）から無線端末装置１６０４（２）に対してデータ送信する場合、無線端末装置１６０４（１）は、対象データをアクセスポイント（ＡＰ）１６０３（１）に対して送信し、アクセスポイント（ＡＰ）１６０３（１）は、無線端末装置１６０４（１）からの対象データを無線端末装置１６０４（２）に対して送信する。
【０００６】
また、無線端末装置１６０４（１）から無線端末装置１６０４（３）に対してデータ送信する場合、無線端末装置１６０４（１）は、対象データをアクセスポイント（ＡＰ）１６０３（１）に対して送信し、アクセスポイント（ＡＰ）１６０３（１）は、無線端末装置１６０４（１）からの対象データを、有線ＬＡＮ１６０１を介してアクセスポイント（ＡＰ）１６０３（２）に対して送信する。アクセスポイント（ＡＰ）１６０３（２）は、アクセスポイント（ＡＰ）１６０３（１）からの対象データを無線端末装置１６０４（３）に対して送信する。
【０００７】
また、有線ＬＡＮ１６０１に有線接続された有線端末装置１６０２から無線端末１６０４（１）〜１６０４（３）に対してデータ送信する場合、具体的には例えば、有線端末装置１６０２から無線端末１６０４（１）に対してデータ送信する場合、有線端末装置１６０２は、対象データを有線ＬＡＮ１６０１を介してアクセスポイント（ＡＰ）１６０３（１）に対して送信し、アクセスポイント（ＡＰ）１６０３（１）は、有線端末装置１６０２からの対象データを無線端末装置１６０４（１）に対して送信する。
【０００８】
また、無線端末１６０４（１）から有線端末装置１６０２に対してデータ送信する場合、無線端末１６０４（１）は、対象データを有線ＬＡＮ１６０１を介してアクセスポイント（ＡＰ）１６０３（１）に対して送信し、アクセスポイント（ＡＰ）１６０３（１）は、無線端末装置１６０４（１）からの対象データを有線端末装置１６０２に対して送信する。
【０００９】
上述したような無線ネットワークシステムは、有線ネットワークに比べ、比較的容易に端末装置の増設が可能である、という特徴を有する。しかしながら、この特徴は、不正に端末装置をネットワーク上に接続してデータを不正に取得する等、不正行為を容易とする。したがって、セキュリティを強化することが必要となる。
【００１０】
そこで、セキュリティ強化のために、例えば、ＩＥＥＥ８０２．１１規格に準拠したネットワークシステムでは、各アクセスポイントがそれぞれ、所属するネットワークを識別するためのＥＳＳＩＤ（Ｅｘｔｅｎｄｅｄ　Ｓｅｒｖｉｃｅ　Ｓｅｔ　ＩＤｅｎｔｉｆｉｃａｔｉｏｎ）と呼ばれる識別子を有する。これにより、無線端末装置は、所望のＥＳＳＩＤを有するアクセスポイントを用いて、ネットワークを介した通信に参加することが可能となる。すなわち、無線端末装置はＥＳＳＩＤを正確に設定しなければネットワークに参加できないため、一定レベルのセキュリティが保たれる。
【００１１】
無線通信におけるセキュリティを強化するための具体的な構成は、例えば、特開平９−８１５１６号や特開平１０−３０６１４２号等で提案されている。
【００１２】
特開平９−８１５１６号等に記載されているシステムは、サーバで保持されているデータを、クライアントが無線通信により利用するシステムであり、例えば、音響信号を用いて、サーバとクライアントの相対位置を検知可能とし、クライアントが存在する相対位置に基づき、クライアントがサーバが保持するデータにアクセス可能であるか否かを決定するように構成されている。
【００１３】
一方、特開平１０−３０６１４２号等に記載されているシステムは、所定の領域内で受信可能な認証情報を送信し、当該認証情報を受信できなかった端末装置に対して機能を縮退することで、セキュリティを保つように構成されている。
【００１４】
また、端末装置が存在する位置に関してセキュリティを提供する構成としては、以下のような提案がなされている。
【００１５】
例えば、特開平０７−２１０４７７号等では、位置検知装置により端末装置が存在する位置を検知し、この結果を画面上に表示することにより、システムの保守性を高めるようにした構成が提案されている。
特開平１０−８４５７０号等では、端末装置が基地局からの電波が届く範囲を出たことを検知して、この警告を発することで、端末装置の盗難を防ぐようにした構成が提案されている。
【００１６】
その他、特開平１−２０６２７９号、特開平３−２３５０７７号、特開平５−３０１１０号、及び特開平５−６０８５３号等においても、端末装置の位置を検知する構成が提案されている。
【００１７】
具体例として、特開平１−２０６２７９号等で提案されている構成について説明する。当該構成を有する位置検知システムは、自機に割り当てられたポーリング信号に対してのみ応答して応答信号を送信する子機と、分散配置された複数のアンテナと、これらのアンテナと接続して複数種類のポーリング信号をそれぞれ複数のアンテナから時間的に重ならないように順次送信すると共に子機からの応答信号を複数のアンテナから受信する親機とを含むシステムであり、親機は、アンテナ毎に、対象アンテナから送信したポーリング信号の送信タイミングと、これに対する子機からの応答信号の受信タイミングとの時間差を検出することで、複数種類の上記時間差情報から子機の位置を探知するように構成されている。
【００１８】
ここで、図１２を用いて、端末装置（無線通信端末装置）１７０１が、通信装置であるアクセスポイント１７０２と無線通信する際の、無線通信端末装置１７０１の認証方法について説明する。
上記図１２は、無線通信端末装置１７０１とアクセスポイント１７０２の間で、認証のために交換するシーケンスを模式的に表した図である。
【００１９】
先ず、アクセスポイント１７０２は、アクセスポイント１７０２が所属するネットワークのＩＤ（識別子）であるＥＳＳＩＤを含むビーコンを定期的に送信する（ステップＳ１７１１）。
【００２０】
次に、新規にネットワーク上に接続したい無線通信端末装置１７０１は、アクセスポイント１７０２からのビーコンを受信し、当該受信ビーコンが、所望のＥＳＳＩＤを含むか否かを検査する（ステップＳ１７１２）。
このとき、無線通信端末装置１７０１が、複数のアクセスポイントからの複数のビーコンを受信した場合、無線通信端末装置１７０１は、当該複数のビーコンの中から、所望のＥＳＳＩＤを含むビーコンを選択する。
【００２１】
次に、無線通信端末装置１７０１は、所望のＥＳＳＩＤが含まれていたビーコンを送信したアクセスポイントの１つに対して、認証要求フレームを送信する（ステップＳ１７１３）。
【００２２】
次に、アクセスポイント１７０２は、無線通信端末装置１７０１からの認証要求フレームを受信すると、無線通信端末装置１７０１の認証に用いる認証用データを、無線通信端末装置１７０１に対して送信する（ステップＳ１７１４）。
【００２３】
次に、無線通信端末装置１７０１は、アクセスポイント１７０２からの認証用データを受信すると、無線通信端末装置１７０１の認証に用いる認証用データをアクセスポイント１７０２に対して送信する（ステップＳ１７１５）。
【００２４】
上述のステップＳ１７１４及びＳ１７１５の動作が０回以上の所定回数繰り返し実行され、アクセスポイント１７２は、無線通信端末装置１７０１から受信した認証用データを用いて、無線通信端末装置１７０１を認証し、その認証結果を無線通信端末装置１７０１に対して通知する（ステップＳ１７１６）。
【００２５】
図１３は、上述したような無線通信端末装置１７０１の認証方法の他の例を、上記図１２と同様に模式的に表した図である。
【００２６】
先ず、新規にネットワーク上に接続したい無線通信端末装置１７０１は、アクセスポイント１７０２に対して、プローブ要求を送信する（ステップＳ１７２１）。
ここでのプローブ要求は、ＥＳＳＩＤを含み、当該ＥＳＳＩＤは、ブロードキャストＥＳＳＩＤ或いは所望のＥＳＳＩＤである。
【００２７】
次に、アクセスポイント１７０２は、無線通信端末装置１７０１からのプローブ要求を受信すると、当該プローブ要求に含まれるＥＳＳＩＤが、所望のＥＳＳＩＤ（或いはブロードキャストＥＳＳＩＤ）と一致するか否かを判別し、この判別の結果、所望のＥＳＳＩＤ（或いはブロードキャストＥＳＳＩＤ）であれば、無線通信端末装置１７０１に対してプローブ応答を送信する（ステップＳ１７２２）。
【００２８】
次に、無線通信端末装置１７０１は、アクセスポイント１７０２からのプローブ応答を受信する。このとき、無線通信端末装置１７０１が、複数のアクセスポイントからの複数のプローブ応答を受信した場合、無線通信端末装置１７０１は、当該複数のプローブ応答の中から、所望のＥＳＳＩＤが含まれる１つのプローブ応答を選択する（ステップＳ１７２３）。
【００２９】
次に、無線通信端末装置１７０１は、所望のＥＳＳＩＤが含まれていたプローブ応答を送信したアクセスポイントの１つに対して、認証要求フレームを送信する（ステップＳ１７２４）。
【００３０】
次に、アクセスポイント１７０２は、無線通信端末装置１７０１からの認証要求フレームを受信すると、無線通信端末装置１７０１の認証に用いる認証用データを、無線通信端末装置１７０１に対して送信する（ステップＳ１７２５）。
【００３１】
次に、無線通信端末装置１７０１は、アクセスポイント１７０２からの認証用データを受信すると、無線通信端末装置１７０１の認証に用いる認証用データをアクセスポイント１７０２に対して送信する（ステップＳ１７２６）。
【００３２】
上述のステップＳ１７２５及びＳ１７２６の動作が０回以上の所定回数繰り返し実行され、アクセスポイント１７２は、無線通信端末装置１７０１から受信した認証用データを用いて、無線通信端末装置１７０１を認証し、その認証結果を無線通信端末装置１７０１に対して通知する（ステップＳ１７２７）。
【００３３】
図１４は、上記図１２に示したステップＳ１７１３〜Ｓ１７１６、及び上記図１３に示したステップＳ１７２４〜Ｓ１７２７で実行される認証処理の一例を具体的に表した図である。
尚、ここでの認証方式は共通鍵認証方式とし、無線通信端末装置１７０１及びアクセスポイント１７０２は同じ暗号鍵を有するものとする。
【００３４】
先ず、アクセスポイント１７０２に対して認証を求める無線通信端末装置１７０１は、アクセスポイント１７０２に対して、認証要求フレームを送信する（ステップＳ１７３１）。
【００３５】
次に、アクセスポイント１７０２は、無線通信端末装置１７０１からの認証要求フレームを受信すると、所定ビット長の乱数を発生し、これをビット列として生成する（ステップＳ１７３２）。
【００３６】
次に、アクセスポイント１７０２は、ステップＳ１７３２で生成したビット列に対して、ＣＲＣ（Ｃｙｃｌｉｃ　Ｒｅｄｕｎｄａｎｃｙ　Ｃｏｄｅ）チェックビット等の誤り検査ビットを生成して付加する（ステップＳ１７３３）。
ここでのＣＲＣについての詳細は、例えば、「今井秀樹、“符号理論”、社団法人電子情報通信学会」等に詳しいので省略する。
【００３７】
次に、アクセスポイント１７０２は、無線通信端末装置１７０１に対して、ステップＳ１７３３で誤り検査ビットを付加したビット列を送信する（ステップＳ１７３４）。
【００３８】
次に、無線通信端末装置１７０１は、アクセスポイント１７０２から受信したビット列を、予め保持している暗号鍵により暗号化する（ステップＳ１７３５）。
【００３９】
尚、ここでの暗号化とは、ビット系列である鍵を用いて、所定の数式により入力されたビット系列を変形して出力する暗号化を意味する。また、この復号化とは、ビット系列である鍵により入力された暗号化系列を変形して、元のビット系列を出力する復号化を意味する。
暗号化方式としては、暗号化で用いる鍵と、復号で用いる鍵とが等しい共通鍵暗号化方式と、暗号化で用いる鍵と、復号で用いる鍵とが異なる公開鍵方式とがある。共通鍵暗号化方式の代表的なものとしては、ＤＥＳ（Ｄａｔａ　Ｅｎｃｒｙｐｔｉｏｎ　Ｓｙｓｔｅｍ）が挙げられ、公開鍵暗号化方式としては、ＲＳＡ（Ｒｉｖｅｓｔ−Ｓｈａｍｉｒ−Ａｄｌｅｍａｎ）が挙げられる。これらの暗号化方式の詳細については、「池野信一、小山謙二、“現代暗号理論”、社団法人電子情報通信学会」等に詳しいため省略する。
【００４０】
次に、無線通信端末装置１７０１は、ステップＳ１７３５で暗号化したビット列をアクセスポイント１７０２に対して送信する（ステップＳ１７３６）。
【００４１】
次に、アクセスポイント１７０２は、無線通信端末装置１７０１から暗号化ビット列を受信すると、当該暗号化ビット列を、予め保持している暗号鍵により復号する（ステップＳ１７３７）。
次に、アクセスポイント１７０２は、ステップＳ１７３７で復号したビット列に付加された誤り検査ビットのチェックを行う（ステップＳ１７３８）。
【００４２】
そして、アクセスポイント１７０２は、ステップＳ１７３８でのチェック結果が正しければ、無線通信端末装置１７０１を認証し、認証成功フレームを無線通信端末装置１７０１に対して送信する（ステップＳ１７３９）。
一方、ステップＳ１７３８でのチェック結果が正しくない場合、アクセスポイント１７０２は、無線通信端末装置１７０１を認証せずに、認証失敗フレームを無線通信端末装置１７０１に対して送信する。
【００４３】
上述のようにして、ステップＳ１７３９において、認証結果として認証成功フレームが無線通信端末装置１７０１に対して通知された後、すなわち無線通信端末装置１７０１がネットワークに接続した後、無線通信端末装置１７０１とアクセスポイント１７０２の間で、データの無線送受信が可能となる。
【００４４】
【発明が解決しようとする課題】
しかしながら、上述したような従来の無線ネットワークシステムでは、例えば、無線通信端末装置が存在している位置によりセキュリティを確保する場合、親機（アクセスポイント）又は親機に接続されたデータベースに対して、無線通信端末装置が親機へ接続可能である位置、又は無線通信端末装置が親機の機能を使用可能である位置を示す情報（認証位置情報）を保持する必要があり、親機（アクセスポイントとしてのサーバ或いはデータベース等）の設置及び管理コストが必要であった。
また、ＥＳＳＩＤによる接続制限においては、区別したい位置（グループ）毎にアクセスポイントが必要となり、アクセスポイント設置のコストが多く必要であった。
【００４５】
そこで、本発明は、上記の欠点を除去するために成されたもので、コスト削減を図りつつ、容易且つ効率的に無線通信が行える、通信装置、通信システム、通信方法、それを実施するためのプログラムを記憶したコンピュータ読出可能な記憶媒体、及び当該プログラムを提供することを目的とする。
【００４６】
【課題を解決するための手段】
斯かる目的下において、本発明は、ネットワーク内のアクセスポイントを介して無線通信する通信装置であって、上記アクセスポイントを介した無線通信が可能である位置に関する情報である認証位置情報を記憶する記憶手段を備えることを特徴とする。
【００４７】
また、本発明は、無線端末に対して、ネットワークを介した無線通信によるデータの送受信を許可する通信装置であって、上記無線端末とデータの送受信を行う通信手段と、上記無線端末の現在位置を検知し、当該検知位置に関する情報である存在位置情報を取得する位置検知手段と、上記無線端末から送信された、上記アクセスポイントを介した無線通信が可能である位置に関する情報である認証位置情報と、上記位置検知手段で得られた存在位置情報とを比較する比較手段とを備えることを特徴とする。
【００４８】
また、本発明は、複数の機器が互いに通信可能に接続されてなる通信システムであって、上記複数の機器のうち少なくとも１つの機器は、請求項１〜１５の何れかに記載の通信装置の機能を有することを特徴とする。
【００４９】
また、本発明は、無線端末が、ネットワーク内のアクセスポイントを介して無線通信によりデータの送受信を行なうための通信方法であって、上記無線端末が、上記アクセスポイントを介した無線通信が可能である位置に関する情報である認証位置情報を記憶した記憶手段から、当該認証位置情報を読み出すステップを含むことを特徴とする。
【００５０】
また、本発明は、ネットワーク上のアクセスポイントが、無線端末に対して、ネットワークに接続し無線通信によるデータの送受信を許可するための通信方法であって、上記アクセスポイントの処理ステップは、上記無線端末とデータの送受信を行うステップと、上記無線端末の位置を検知し、当該検知位置に関する情報である存在位置情報を取得するステップと、上記無線端末から送信された、上記アクセスポイントを介した無線通信が可能である位置に関する情報である認証位置情報と、上記存在位置情報とを比較するステップとを含むことを特徴とする。
【００５１】
また、本発明は、コンピュータに所定の手段として機能させるためのプログラムであって、上記所定の手段は、ネットワーク内のアクセスポイントを介して無線通信する手段であって、上記アクセスポイントを介した無線通信が可能である位置に関する情報である認証位置情報を記憶する記憶手段を含むことを特徴とする。
【００５２】
また、本発明は、コンピュータに所定の手段として機能させるためのプログラムであって、上記所定の手段は、無線端末に対して、ネットワークを介した無線通信によるデータの送受信を許可する手段であって、上記無線端末とデータの送受信を行う通信手段と、上記無線端末の位置を検知し、当該検知位置に関する情報である存在位置情報を取得する位置検知手段と、上記無線端末から送信された、上記アクセスポイントを介した無線通信が可能である位置に関する情報である認証位置情報と、上記位置検知手段で得られた存在位置情報とを比較する比較手段とを含むことを特徴とする。
【００５３】
また、本発明は、コンピュータに所定のステップを実行させるためのプログラムであって、上記所定のステップは、無線端末が、ネットワーク内のアクセスポイントを介して無線通信によりデータの送受信を行なうための処理ステップであって、上記無線端末が、上記アクセスポイントを介した無線通信が可能である位置に関する情報である認証位置情報を記憶した記憶手段から、当該認証位置情報を読み出すステップを含むことを特徴とする。
【００５４】
また、本発明は、コンピュータに所定のステップを実行させるためのプログラムであって、上記所定のステップは、ネットワーク上のアクセスポイントが、無線端末に対して、ネットワークに接続し無線通信によるデータの送受信を許可するための処理ステップであって、上記アクセスポイントが、上記無線端末とデータの送受信を行うステップと、上記無線端末の位置を検知し、当該検知位置に関する情報である存在位置情報を取得するステップと、上記無線端末から送信された、上記アクセスポイントを介した無線通信が可能である位置に関する情報である認証位置情報と、上記存在位置情報とを比較するステップとを含むことを特徴とする。
【００５５】
また、本発明は、請求項３１〜３６の何れかに記載のプログラムをコンピュータ読出可能な記憶媒体に記録したことを特徴とする。
【００５６】
具体的には例えば、無線端末（無線通信端末）を有する無線通信ネットワークシステムにおいて、無線通信端末が、アクセスポイントを介した無線通信が可能である位置に関する情報である認証位置情報を保持し、当該認証位置情報と、無線通信端末或いはアクセスポイント（親機等）が検知した、無線通信端末が現在存在する物理的な位置に関する情報である存在位置情報とを比較することで、無線通信端末がアクセスポイントに接続可能であるか否かを決定する。このように、無線通信端末が認証位置情報を保持する構成により、アクセスポイント（親機或いは親機に接続されたサーバ等）が、認証位置情報を保持するためのデータベース等を具備する必要が無くなる。また、区別したい位置（グループ）毎にアクセスポイントを設置する必要もなくなり、ＥＳＳＩＤによりアクセス制御する必要性を減少させ、アクセスポイントの設置コストを低減させることができる。
【００５７】
【発明の実施の形態】
以下、本発明の実施の形態について図面を用いて説明する。
【００５８】
［第１の実施の形態］
本発明は、例えば、図１に示すような無線ネットワークシステム１００に適用される。
本実施の形態の無線ネットワークシステム１００は、特に、無線通信端末装置１０５（ｘ）に対して認証位置情報を保持させ、当該認証位置情報と、無線通信端末装置１０５（ｘ）或いは親機（アクセスポイント）１０１（ｘ）が検知した、無線通信端末装置１０５（ｘ）が現在存在する物理的な位置である存在位置情報とを比較することで、無線通信端末装置１０５（ｘ）がアクセスポイント１０１（ｘ）に対して接続可能であるか否かを決定するように構成されている。
【００５９】
本実施の形態の無線ネットワークシステム１００では、無線通信端末装置１０５（ｘ）に対して認証位置情報を保持させる構成により、アクセスポイント１０１（ｘ）（親機或いは親機に接続されたサーバ等）が、認証位置情報を保持するためのデータベースが必要ない。また、区別したい位置（グループ）毎にアクセスポイント１０１（ｘ）を設置する必要もなく、ＥＳＳＩＤによりアクセス制御する必要性を減少することができ、アクセスポイント１０１（ｘ）の設置コストを低減させることができる。
以下、本実施の形態の無線ネットワークシステム１００の構成及び動作について具体的に説明する。
【００６０】
＜無線ネットワークシステム１００の構成＞
無線ネットワークシステム１００は、上記図１に示すように、通信機能を有するアクセスポイント（ＡＰ）１０１（１），１０１（２）、及び無線通信端末装置１０５（１）〜１０５（３）を含む構成としている。
【００６１】
尚、上記図１では、説明の簡単のため、２つのアクセスポイント（ＡＰ）１０１（１），１０１（２）と、３つの無線通信端末装置１０５（１）〜１０５（３）とを設ける構成としているが、これらの設置数に限定されない。
また、ＡＰ１０１（１），１０１（２）はそれぞれ同様の構成であり、無線通信端末装置１０５（１）〜１０５（３）もそれぞれ同様の構成であるため、以下の説明では、任意のＡＰ１０１（ｘ）及び任意の無線通信端末装置１０５（ｘ）に着目して説明する場合もある。
【００６２】
また、無線ネットワークシステム１００では、範囲１０３（１），１０３（２）がそれぞれ、ＡＰ１０１（１），１０１（２）から同等の所定強度以上の信号を受信可能な範囲となるように構成されている。
範囲１０３（１）にのみ含まれる位置を位置１０８（１）とし、範囲１０３（１）及び１０３（２）両方に含まれる位置を位置１０８（２）とし、範囲１０３（２）にのみ含まれる位置を位置１０８（３）とする。
【００６３】
尚、信号強度の下限に加え、上限を設けることにより、より精密に位置を設定してもよい。
【００６４】
無線通信端末装置１０５（１）〜１０５（３）はそれぞれ、認証位置情報として、位置１０８（１）〜１０８（３）の何れか一つ或いは複数の位置の情報を保持している。
【００６５】
例えば、位置１０８（１）に存在する無線通信端末装置１０５（１）が、認証位置情報として位置１０８（１）の情報を有する場合、通信のために使用可能であるＡＰ１０１（１）は、無線通信端末装置１０５（１）の通信を許可する。また、無線通信端末装置１０５（１）が、認証位置情報として位置１０８（２）の情報を有する場合、ＡＰ１０１（１）及び１０１（２）は、無線通信端末装置１０５（１）の通信を許可しない。
【００６６】
＜無線通信端末装置１０５（ｘ）の内部構成＞
無線通信端末装置１０５（ｘ）は、例えば、図２に示すように、無線接続されたネットワークを介してデータ送受信するための通信部２１０と、様々なデータ処理を行う本体機能部２２０とを含む構成としている。
これらの通信部２１０と本体機能部２２０は接続されており、相互にデータのやり取りが行われる。
【００６７】
制御部２１９は、バス２１３上の構成部２１４〜２１８を協調制御する。
通信部２１０は、制御部２１９、記憶部２１８、比較部２１７、位置計算部２１６、無線部２１５、及びインターフェース部２１４が、バス２１３を介して通信可能に接続された構成としている。
【００６８】
インターフェース部２１４は、本体機能部２２０と通信部２１０間の通信を仲介する。
無線部２１５は、入力データを無線通信空間（範囲１０３（ｘ））を経由してアクセスポイント１０１（ｘ）に送信し、また、無線通信空間（範囲１０３（ｘ））を経由して送信されてきたデータを受信する。
【００６９】
位置計算部２１６は、例えば、上記図１２を用いて説明した方法により得られる、無線部２１５で受信されたビーコンフレームの信号強度に基づき、現在無線通信端末装置１０５（ｘ）が存在する位置に関する情報（存在位置情報）を算出する。
比較部２１７は、位置計算部２１６で得られた存在位置情報と、記憶部２１８に記憶されている認証位置情報とを比較する。
【００７０】
記憶部２１８は、無線通信端末装置１０５（ｘ）が無線部２１５を経由してネットワークに接続することが許可される位置に関する情報（認証位置情報）等を記憶すると共に、インターフェイス部２１４及び無線部２１５による通信のための通信バッファ領域や、位置計算部２１６における計算のための一時記憶バッファ領域を提供する。
【００７１】
＜無線ネットワークシステム１００の動作例（１）＞
図３は、無線ネットワークシステム１００の動作の一例を示したものである。
【００７２】
先ず、ＡＰ１０１（１），１０１（２）はそれぞれ、自アクセスポイントが所属するネットワークのＩＤ（識別子）であるＥＳＳＩＤを含むビーコンを定期的に送信する（ステップＳ３０１、ステップＳ３０２）。
【００７３】
次に、新規にネットワークと接続したい無線通信端末装置１０５（ｘ）は、無線部２１５により、ＡＰ１０１（１），１０１（２）からビーコンを受信する。
無線通信端末装置１０５（ｘ）において、無線部２１５は、ＡＰ１０１（１），１０１（２）からのビーコンの信号強度を、位置計算部２１６に対して出力する。
位置計算部２１６は、無線部２１５からの信号強度により、上述したようにして、自無線通信端末装置１０５（ｘ）の現在存在する位置を検知する（ステップＳ３０３）。
【００７４】
次に、無線通信端末装置１０５（ｘ）は、比較部２１７により、ステップＳ３０３で検知した存在位置と、記憶部２１８に保持している認証位置情報とを比較し、この比較結果により、当該検知存在位置が認証位置に含まれるか否かを検査する（ステップＳ３０４）。
【００７５】
次に、無線通信端末装置１０５（ｘ）は、ステップＳ３０４での検査の結果、検知存在位置が認証位置に含まれる場合、無線部２１５により受信したビーコンに対して、所望のＥＳＳＩＤが含まれているか否かを検査する（ステップＳ３０５）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【００７６】
次に、無線通信端末装置１０５（ｘ）は、無線部２１５により、ステップＳ３０５で選択したビーコンを送信したアクセスポイント１０１（ｘ）に対して、認証要求フレームを送信する（ステップＳ３０６）。
【００７７】
そして、アクセスポイント１０１（１）は、無線通信端末装置１０５（ｘ）から受信した認証用データに基づき、無線通信端末装置１０５（ｘ）を認証し、その認証結果を無線通信端末装置１０５（ｘ）に対して通知する（ステップＳ３０７）。
【００７８】
上記図３に示したステップＳ３０１〜ステップＳ３０７の処理が、無線通信端末装置１０５（ｘ）がアクセスポイント１０１（ｘ）を経由してネットワークに接続するまでの処理である。
【００７９】
尚、ステップＳ３０６の認証要求から、ステップＳ３０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
【００８０】
ステップＳ３０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）を経由してネットワーク上に送出する。
【００８１】
また、無線通信端末装置１０５（ｘ）は、無線部２１５により、ネットワークからアクセスポイント１０１（ｘ）を経由してデータを受信し、当該受信データを、インターフェイス部２１４を経由して本体機能部２２０に対して入力し、本体機能部２２０により、当該受信データのデータ処理を実行する。
【００８２】
＜無線ネットワークシステム１００の動作例（２）＞
図４は、無線ネットワークシステム１００の動作の一例を示したものである。
【００８３】
先ず、ＡＰ１０１（１），１０１（２）はそれぞれ、自アクセスポイントが所属するネットワークのＩＤ（識別子）であるＥＳＳＩＤを含むビーコンを定期的に送信する（ステップＳ４０１、ステップＳ４０２）。
【００８４】
次に、新規にネットワークと接続したい無線通信端末装置１０５（ｘ）は、無線部２１５により、ＡＰ１０１（１），１０１（２）からビーコンを受信する。
無線通信端末装置１０５（ｘ）において、無線部２１５は、ＡＰ１０１（１），１０１（２）からのビーコンの信号強度を、位置計算部２１６に対して出力する。
位置計算部２１６は、無線部２１５からの信号強度により、上述したようにして、自無線通信端末装置１０５（ｘ）の現在存在する位置を検知する（ステップＳ４０３）。
【００８５】
次に、無線通信端末装置１０５（ｘ）は、無線部２１５により受信したビーコンに対して、所望のＥＳＳＩＤが含まれているか否かを検査する（ステップＳ４０４）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【００８６】
次に、無線通信端末装置１０５（ｘ）は、無線部２１５により、ステップＳ４０４で選択したビーコンを送信したアクセスポイント１０１（ｘ）に対して、認証要求フレームを送信する（ステップＳ４０５）。
ここでの認証要求フレームには、ステップＳ４０３で検知された存在位置情報、及び記憶部２１８に保持された認証位置情報を含んでいる。このような認証要求フレームにより、無線通信端末装置１０５（ｘ）は、アクセスポイント１０１（ｘ）に対して、無線通信端末装置１０５（ｘ）が現在存在する存在位置、及び無線通信端末装置１０５（ｘ）がアクセスポイント１０１（ｘ）に接続可能である認証位置を通知する。
【００８７】
次に、アクセスポイント１０１（ｘ）は、無線通信端末装置１０５（ｘ）から認証要求フレームを受信すると、当該認証要求フレームに含まれる存在位置情報と認証位置情報を比較し、この比較の結果により、無線通信端末装置１０５（ｘ）の存在位置が認証位置に含まれるか否かを検査する（ステップＳ４０６）。
【００８８】
そして、アクセスポイント１０１（１）は、ステップＳ４０６での検査結果により、無線通信端末装置１０５（ｘ）の存在位置が認証位置に含まれる場合、無線通信端末装置１０５（ｘ）を認証し、その認証結果を無線通信端末装置１０５（ｘ）に対して通知する（ステップＳ４０７）。
【００８９】
上記図４に示したステップＳ４０１〜ステップＳ４０７の処理が、無線通信端末装置１０５（ｘ）がアクセスポイント１０１（ｘ）を経由してネットワークに接続するまでの処理である。
【００９０】
尚、ステップＳ４０５の認証要求から、ステップＳ４０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
また、無線通信端末装置１０５（ｘ）からアクセスポイント１０１（ｘ）への存在位置情報の通知は、認証要求フレームに含まずに、例えば、認証を行うためのデータ交換の中で行うようにしてもよい。
【００９１】
ステップＳ４０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）を経由してネットワーク上に送出する。
【００９２】
また、無線通信端末装置１０５（ｘ）は、無線部２１５により、ネットワークからアクセスポイント１０１（ｘ）を経由してデータを受信し、当該受信データを、インターフェイス部２１４を経由して本体機能部２２０に対して入力し、本体機能部２２０により、当該受信データのデータ処理を実行する。
【００９３】
＜無線ネットワークシステム１００の動作例（３）＞
図５は、無線ネットワークシステム１００の動作の一例を示したものである。
【００９４】
まず、本動作を実施する無線ネットワークシステム１００は、例えば、図６に示すように、無線通信端末装置１０５（ｘ）及びアクセスポイント１０１（ｘ）に加え、上記図１１に示した有線端末装置１６０２に相当する認証サーバ１１０が接続された構成としている。これにより、無線通信端末装置１０５（ｘ）は、アクセスポイント１０１（ｘ）及び認証局サーバ１１０とデータ交換することで、ネットワークへの接続を行う。
【００９５】
すなわち、上記図５に示すように、先ず、ＡＰ１０１（ｘ）は、自アクセスポイントが所属するネットワークのＩＤ（識別子）であるＥＳＳＩＤを含むビーコンを定期的に送信する（ステップＳ５０１）。
【００９６】
次に、新規にネットワークと接続したい無線通信端末装置１０５（ｘ）は、無線部２１５により、ＡＰ１０１（ｘ）からビーコンを受信する。
無線通信端末装置１０５（ｘ）において、無線部２１５は、ＡＰ１０１（ｘ）からのビーコンの信号強度を、位置計算部２１６に対して出力する。
位置計算部２１６は、無線部２１５からの信号強度により、上述したようにして、自無線通信端末装置１０５（ｘ）の現在存在する位置を検知する（ステップＳ５０２）。
【００９７】
次に、無線通信端末装置１０５（ｘ）は、無線部２１５により受信したビーコンに対して、所望のＥＳＳＩＤが含まれているか否かを検査する（ステップＳ５０３）。
ここで、無線通信端末装置１０５（ｘ）が、複数のＡＰ１０１（１），１０１（２）から複数のビーコンを受信する場合、無線通信端末装置１０５（ｘ）は、これらの受信ビーコンから、所望のＥＳＳＩＤを含むビーコンを選択する。
【００９８】
次に、無線通信端末装置１０５（ｘ）は、無線部２１５により、ステップＳ５０３で選択したビーコンを送信したアクセスポイント１０１（ｘ）に対して、認証要求フレームを送信する（ステップＳ５０４）。
ここでの認証要求フレームには、ステップＳ５０２で検知された存在位置情報、及び記憶部２１８に保持された認証位置情報を含んでいる。このような認証要求フレームにより、無線通信端末装置１０５（ｘ）は、アクセスポイント１０１（ｘ）に対して、無線通信端末装置１０５（ｘ）が現在存在する存在位置、及び無線通信端末装置１０５（ｘ）がアクセスポイント１０１（ｘ）に接続可能である認証位置を通知する。
【００９９】
次に、アクセスポイント１０１（ｘ）は、無線通信端末装置１０５（ｘ）から認証要求フレームを受信すると、当該認証要求フレームを認証サーバ１１０に対して送信する。
次に、認証サーバ１１０は、アクセスポイント１０１（ｘ）から認証要求フレームを受信すると、当該認証要求フレームに含まれる存在位置情報と認証位置情報を比較し、この比較の結果により、無線通信端末装置１０５（ｘ）の存在位置が認証位置に含まれるか否かを検査する（ステップＳ５０５）。
【０１００】
そして、認証サーバ１１０は、ステップＳ５０５での検査結果により、無線通信端末装置１０５（ｘ）の存在位置が認証位置に含まれる場合、無線通信端末装置１０５（ｘ）を認証し、その認証結果を、アクセスポイント１０１（ｘ）を介して無線通信端末装置１０５（ｘ）に対して通知する（ステップＳ５０６）。
【０１０１】
上記図５に示したステップＳ５０１〜ステップＳ５０６の処理が、無線通信端末装置１０５（ｘ）がアクセスポイント１０１（ｘ）を経由してネットワークに接続するまでの処理である。
【０１０２】
尚、ステップＳ５０４の認証要求から、ステップＳ５０６の認証完了までの処理間で、アクセスポイント１０１（ｘ）を経由して、無線通信端末装置１０５（ｘ）と認証サーバ１１０との間で認証を行うためのデータ交換を所定回数行うようにしてもよい。
また、無線通信端末装置１０５（ｘ）からアクセスポイント１０１（ｘ）を介して認証サーバ１１０への存在位置情報の通知は、認証要求フレームに含まずに、例えば、認証を行うためのデータ交換の中で行うようにしてもよい。
【０１０３】
ステップＳ５０６において、認証サーバ１１０から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）を経由してネットワーク上に送出する。
【０１０４】
また、無線通信端末装置１０５（ｘ）は、無線部２１５により、ネットワークからアクセスポイント１０１（ｘ）を経由してデータを受信し、当該受信データを、インターフェイス部２１４を経由して本体機能部２２０に対して入力し、本体機能部２２０により、当該受信データのデータ処理を実行する。
【０１０５】
＜無線ネットワークシステム１００の動作例（４）＞
図７は、無線ネットワークシステム１００の動作の一例を示したものである。
【０１０６】
先ず、ＡＰ１０１（１），１０１（２）はそれぞれ、自アクセスポイントが所属するネットワークのＩＤ（識別子）であるＥＳＳＩＤを含むビーコンを定期的に送信する（ステップＳ７０１、ステップＳ７０２）。
【０１０７】
次に、新規にネットワークと接続したい無線通信端末装置１０５（ｘ）は、無線部２１５により、ＡＰ１０１（１），１０１（２）からビーコンを受信し、当該受信ビーコンに対して、所望のＥＳＳＩＤが含まれているか否かを検査する（ステップＳ７０３）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【０１０８】
次に、無線通信端末装置１０５（ｘ）は、無線部２１５により、ステップＳ７０３で選択したビーコンを送信したアクセスポイント１０１（ｘ）に対して、認証要求フレームを送信する（ステップＳ７０４）。
ここでの認証要求フレームには、記憶部２１８に保持された認証位置情報を含んでいる。このような認証要求フレームにより、無線通信端末装置１０５（ｘ）は、アクセスポイント１０１（ｘ）に対して、無線通信端末装置１０５（ｘ）がアクセスポイント１０１（ｘ）に接続可能である認証位置を通知する。
【０１０９】
次に、アクセスポイント１０１（ｘ）は、無線通信端末装置１０５（ｘ）からの認証要求フレームにより、上述したようにして無線通信端末装置１０５（ｘ）が現在存在する存在位置を検知する（ステップＳ７０５）。
【０１１０】
次に、アクセスポイント１０１（ｘ）は、ステップＳ７０５において無線通信端末装置１０５（ｘ）から受信した認証要求フレームに含まれる認証位置情報と、同ステップで取得した無線通信端末装置１０５（ｘ）の存在位置情報とを比較し、この比較の結果により、無線通信端末装置１０５（ｘ）の存在位置が認証位置に含まれるか否かを検査する（ステップＳ７０６）。
【０１１１】
そして、アクセスポイント１０１（１）は、ステップＳ７０６での検査結果により、無線通信端末装置１０５（ｘ）の存在位置が認証位置に含まれる場合、無線通信端末装置１０５（ｘ）を認証し、その認証結果を無線通信端末装置１０５（ｘ）に対して通知する（ステップＳ７０７）。
【０１１２】
上記図７に示したステップＳ７０１〜ステップＳ７０７の処理が、無線通信端末装置１０５（ｘ）がアクセスポイント１０１（ｘ）を経由してネットワークに接続するまでの処理である。
【０１１３】
尚、ステップＳ７０４の認証要求から、ステップＳ７０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
また、無線通信端末装置１０５（ｘ）からアクセスポイント１０１（ｘ）への存在位置情報の通知は、認証要求フレームに含まずに、例えば、認証を行うためのデータ交換の中で行うようにしてもよい。
【０１１４】
ステップＳ７０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）を経由してネットワーク上に送出する。
【０１１５】
また、無線通信端末装置１０５（ｘ）は、無線部２１５により、ネットワークからアクセスポイント１０１（ｘ）を経由してデータを受信し、当該受信データを、インターフェイス部２１４を経由して本体機能部２２０に対して入力し、本体機能部２２０により、当該受信データのデータ処理を実行する。
【０１１６】
尚、本実施の形態においては、アクセスポイント１０１（ｘ）がビーコンフレームを送信するように構成したが、これに限られることはなく、例えば、無線通信端末装置１０５（ｘ）がプローブ要求を送信し、これに対してアクセスポイント１０１（ｘ）がプローブ応答を送信するように構成してもよい。
また、本実施の形態は、上記従来の技術で説明した位置検知方法に対しても適用可能である。
【０１１７】
［第２の実施の形態］
本実施の形態では、上記図１に示した無線ネットワークシステム１００において、無線通信端末装置１０５（ｘ）の記憶部２１８（上記図２参照）で保持される認証位置情報が暗号化されているものとする。
以下、このような構成の場合の無線ネットワークシステム１００の動作について、上記図３〜図７を用いて説明する。
【０１１８】
＜無線ネットワークシステム１００の動作例（１）：上記図３参照＞
尚、ここでは、記憶部２１８に保持されている認証位置情報は、アクセスポイント１０１（ｘ）の公開鍵により暗号化されているものとする。また、アクセスポイント１０１（ｘ）の公開鍵は、記憶部２１８に保存されているものとする。
【０１１９】
先ず、ＡＰ１０１（１），１０１（２）はそれぞれ、自アクセスポイントが所属するネットワークのＩＤ（識別子）であるＥＳＳＩＤを含むビーコンを定期的に送信する（ステップＳ３０１、ステップＳ３０２）。
【０１２０】
次に、新規にネットワークと接続したい無線通信端末装置１０５（ｘ）は、無線部２１５により、ＡＰ１０１（１），１０１（２）からビーコンを受信する。無線通信端末装置１０５（ｘ）において、無線部２１５は、ＡＰ１０１（１），１０１（２）からのビーコンの信号強度を、位置計算部２１６に対して出力する。
位置計算部２１６は、無線部２１５からの信号強度により、上述したようにして、自無線通信端末装置１０５（ｘ）の現在存在する位置を検知する（ステップＳ３０３）。
【０１２１】
次に、無線通信端末装置１０５（ｘ）は、ステップＳ３０３で検知した存在位置情報を、記憶部２１８に保持しているアクセスポイント１０１（ｘ）の公開鍵で暗号化し、比較部２１７により、当該暗号化存在位置情報と、記憶部２１８に保持している暗号化認証位置情報とを比較し、この比較結果により、当該検知存在位置が認証位置に含まれるか否かを検査する（ステップＳ３０４）。
【０１２２】
次に、無線通信端末装置１０５（ｘ）は、ステップＳ３０４での検査の結果、検知暗号化存在位置情報と暗号化認証位置情報が一致した場合、無線部２１５により受信したビーコンに対して、所望のＥＳＳＩＤが含まれているか否かを検査する（ステップＳ３０５）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【０１２３】
次に、無線通信端末装置１０５（ｘ）は、無線部２１５により、ステップＳ３０５で選択したビーコンを送信したアクセスポイント１０１（ｘ）に対して、認証要求フレームを送信する（ステップＳ３０６）。
【０１２４】
そして、アクセスポイント１０１（１）は、無線通信端末装置１０５（ｘ）から受信した認証用データに基づき、無線通信端末装置１０５（ｘ）を認証し、その認証結果を無線通信端末装置１０５（ｘ）に対して通知する（ステップＳ３０７）。
【０１２５】
上記図３に示したステップＳ３０１〜ステップＳ３０７の処理が、無線通信端末装置１０５（ｘ）がアクセスポイント１０１（ｘ）を経由してネットワークに接続するまでの処理である。
【０１２６】
尚、ステップＳ３０６の認証要求から、ステップＳ３０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
【０１２７】
ステップＳ３０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）を経由してネットワーク上に送出する。
【０１２８】
また、無線通信端末装置１０５（ｘ）は、無線部２１５により、ネットワークからアクセスポイント１０１（ｘ）を経由してデータを受信し、当該受信データを、インターフェイス部２１４を経由して本体機能部２２０に対して入力し、本体機能部２２０により、当該受信データのデータ処理を実行する。
【０１２９】
尚、ここでは暗号化方式として、公開暗号化方式を用いたが、これに限られることはなく、例えば、共通暗号化方式を用いるようにしてもよい。
【０１３０】
＜無線ネットワークシステム１００の動作例（２）：上記図４参照＞
尚、ここでは、記憶部２１８に保持されている認証位置情報は、アクセスポイント１０１（ｘ）の公開鍵により暗号化されているものとする。また、アクセスポイント１０１（ｘ）の秘密鍵は、アクセスポイント１０１（ｘ）が保有しているものとする。
【０１３１】
先ず、ＡＰ１０１（１），１０１（２）はそれぞれ、自アクセスポイントが所属するネットワークのＩＤ（識別子）であるＥＳＳＩＤを含むビーコンを定期的に送信する（ステップＳ４０１、ステップＳ４０２）。
【０１３２】
次に、新規にネットワークと接続したい無線通信端末装置１０５（ｘ）は、無線部２１５により、ＡＰ１０１（１），１０１（２）からビーコンを受信する。
無線通信端末装置１０５（ｘ）において、無線部２１５は、ＡＰ１０１（１），１０１（２）からのビーコンの信号強度を、位置計算部２１６に対して出力する。
位置計算部２１６は、無線部２１５からの信号強度により、上述したようにして、自無線通信端末装置１０５（ｘ）の現在存在する位置を検知する（ステップＳ４０３）。
【０１３３】
次に、無線通信端末装置１０５（ｘ）は、無線部２１５により受信したビーコンに対して、所望のＥＳＳＩＤが含まれているか否かを検査する（ステップＳ４０４）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【０１３４】
次に、無線通信端末装置１０５（ｘ）は、無線部２１５により、ステップＳ４０４で選択したビーコンを送信したアクセスポイント１０１（ｘ）に対して、認証要求フレームを送信する（ステップＳ４０５）。
ここでの認証要求フレームには、ステップＳ４０３で検知された存在位置情報、及び記憶部２１８に保持された認証位置情報（暗号化認証位置情報）を含んでいる。このような認証要求フレームにより、無線通信端末装置１０５（ｘ）は、アクセスポイント１０１（ｘ）に対して、無線通信端末装置１０５（ｘ）が現在存在する存在位置、及び無線通信端末装置１０５（ｘ）がアクセスポイント１０１（ｘ）に接続可能である認証位置を通知する。
【０１３５】
次に、アクセスポイント１０１（ｘ）は、無線通信端末装置１０５（ｘ）から認証要求フレームを受信すると、当該認証要求フレームに含まれる認証位置情報（暗号化認証位置情報）を、アクセスポイント１０１（ｘ）の秘密鍵で復号し、この結果と、当該認証要求フレームに含まれる存在位置情報とを比較し、この比較の結果により、無線通信端末装置１０５（ｘ）の存在位置が認証位置に含まれるか否かを検査する（ステップＳ４０６）。
【０１３６】
そして、アクセスポイント１０１（１）は、ステップＳ４０６での検査結果により、無線通信端末装置１０５（ｘ）の存在位置が認証位置に含まれる場合、無線通信端末装置１０５（ｘ）を認証し、その認証結果を無線通信端末装置１０５（ｘ）に対して通知する（ステップＳ４０７）。
【０１３７】
上記図４に示したステップＳ４０１〜ステップＳ４０７の処理が、無線通信端末装置１０５（ｘ）がアクセスポイント１０１（ｘ）を経由してネットワークに接続するまでの処理である。
【０１３８】
尚、ステップＳ４０５の認証要求から、ステップＳ４０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
また、無線通信端末装置１０５（ｘ）からアクセスポイント１０１（ｘ）への存在位置情報の通知は、認証要求フレームに含まずに、例えば、認証を行うためのデータ交換の中で行うようにしてもよい。
【０１３９】
ステップＳ４０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）を経由してネットワーク上に送出する。
【０１４０】
また、無線通信端末装置１０５（ｘ）は、無線部２１５により、ネットワークからアクセスポイント１０１（ｘ）を経由してデータを受信し、当該受信データを、インターフェイス部２１４を経由して本体機能部２２０に対して入力し、本体機能部２２０により、当該受信データのデータ処理を実行する。
【０１４１】
尚、ここでは暗号化方式として、公開暗号化方式を用いたが、これに限られることはなく、例えば、共通暗号化方式を用いるようにしてもよい。
【０１４２】
＜無線ネットワークシステム１００の動作例（３）：上記図５及び図６参照＞
尚、ここでは、記憶部２１８に保持されている認証位置情報は、認証サーバ１１０の秘密鍵により暗号化されているものとする。また、認証サーバ１１０の秘密鍵は、認証サーバ１１０のみが保有しているものとする。
【０１４３】
先ず、ＡＰ１０１（ｘ）は、自アクセスポイントが所属するネットワークのＩＤ（識別子）であるＥＳＳＩＤを含むビーコンを定期的に送信する（ステップＳ５０１）。
【０１４４】
次に、新規にネットワークと接続したい無線通信端末装置１０５（ｘ）は、無線部２１５により、ＡＰ１０１（ｘ）からビーコンを受信する。
無線通信端末装置１０５（ｘ）において、無線部２１５は、ＡＰ１０１（ｘ）からのビーコンの信号強度を、位置計算部２１６に対して出力する。
位置計算部２１６は、無線部２１５からの信号強度により、上述したようにして、自無線通信端末装置１０５（ｘ）の現在存在する位置を検知する（ステップＳ５０２）。
【０１４５】
次に、無線通信端末装置１０５（ｘ）は、無線部２１５により受信したビーコンに対して、所望のＥＳＳＩＤが含まれているか否かを検査する（ステップＳ５０３）。
ここで、無線通信端末装置１０５（ｘ）が、複数のＡＰ１０１（１），１０１（２）から複数のビーコンを受信する場合、無線通信端末装置１０５（ｘ）は、これらの受信ビーコンから、所望のＥＳＳＩＤを含むビーコンを選択する。
【０１４６】
次に、無線通信端末装置１０５（ｘ）は、無線部２１５により、ステップＳ５０３で選択したビーコンを送信したアクセスポイント１０１（ｘ）に対して、認証要求フレームを送信する（ステップＳ５０４）。
ここでの認証要求フレームには、ステップＳ５０２で検知された存在位置情報、及び記憶部２１８に保持された認証位置情報（暗号化認証位置情報）を含んでいる。このような認証要求フレームにより、無線通信端末装置１０５（ｘ）は、アクセスポイント１０１（ｘ）に対して、無線通信端末装置１０５（ｘ）が現在存在する存在位置、及び無線通信端末装置１０５（ｘ）がアクセスポイント１０１（ｘ）に接続可能である認証位置を通知する。
【０１４７】
次に、アクセスポイント１０１（ｘ）は、無線通信端末装置１０５（ｘ）から認証要求フレームを受信すると、当該認証要求フレームを認証サーバ１１０に対して送信する。
次に、認証サーバ１１０は、アクセスポイント１０１（ｘ）から認証要求フレームを受信すると、当該認証要求フレームに含まれる認証位置情報を、認証サーバ１１０の秘密鍵で復号し、この結果と、当該認証要求フレームに含まれる存在位置情報とを比較し、この比較の結果により、無線通信端末装置１０５（ｘ）の存在位置が認証位置に含まれるか否かを検査する（ステップＳ５０５）。
【０１４８】
そして、認証サーバ１１０は、ステップＳ５０５での検査結果により、無線通信端末装置１０５（ｘ）の存在位置が認証位置に含まれる場合、無線通信端末装置１０５（ｘ）を認証し、その認証結果を、アクセスポイント１０１（ｘ）を介して無線通信端末装置１０５（ｘ）に対して通知する（ステップＳ５０６）。
【０１４９】
上記図５に示したステップＳ５０１〜ステップＳ５０６の処理が、無線通信端末装置１０５（ｘ）がアクセスポイント１０１（ｘ）を経由してネットワークに接続するまでの処理である。
【０１５０】
尚、ステップＳ５０４の認証要求から、ステップＳ５０６の認証完了までの処理間で、アクセスポイント１０１（ｘ）を経由して、無線通信端末装置１０５（ｘ）と認証サーバ１１０との間で認証を行うためのデータ交換を所定回数行うようにしてもよい。
また、無線通信端末装置１０５（ｘ）からアクセスポイント１０１（ｘ）を介して認証サーバ１１０への存在位置情報の通知は、認証要求フレームに含まずに、例えば、認証を行うためのデータ交換の中で行うようにしてもよい。
【０１５１】
ステップＳ５０６において、認証サーバ１１０から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）を経由してネットワーク上に送出する。
【０１５２】
また、無線通信端末装置１０５（ｘ）は、無線部２１５により、ネットワークからアクセスポイント１０１（ｘ）を経由してデータを受信し、当該受信データを、インターフェイス部２１４を経由して本体機能部２２０に対して入力し、本体機能部２２０により、当該受信データのデータ処理を実行する。
【０１５３】
尚、ここでは暗号化方式として、公開暗号化方式を用いたが、これに限られることはなく、例えば、共通暗号化方式を用いるようにしてもよい。
【０１５４】
＜無線ネットワークシステム１００の動作例（４）：上記図７参照＞
尚、ここでは、記憶部２１８に保持されている認証位置情報は、アクセスポイント１０１（ｘ）の公開鍵により暗号化されているものとする。また、アクセスポイント１０１（ｘ）の秘密鍵は、アクセスポイント１０１（ｘ）が保有しているものとする。
【０１５５】
先ず、ＡＰ１０１（１），１０１（２）はそれぞれ、自アクセスポイントが所属するネットワークのＩＤ（識別子）であるＥＳＳＩＤを含むビーコンを定期的に送信する（ステップＳ７０１、ステップＳ７０２）。
【０１５６】
次に、新規にネットワークと接続したい無線通信端末装置１０５（ｘ）は、無線部２１５により、ＡＰ１０１（１），１０１（２）からビーコンを受信し、当該受信ビーコンに対して、所望のＥＳＳＩＤが含まれているか否かを検査する（ステップＳ７０３）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【０１５７】
次に、無線通信端末装置１０５（ｘ）は、無線部２１５により、ステップＳ７０３で選択したビーコンを送信したアクセスポイント１０１（ｘ）に対して、認証要求フレームを送信する（ステップＳ７０４）。
ここでの認証要求フレームには、記憶部２１８に保持された認証位置情報（アクセスポイント１０１（ｘ）の公開鍵で暗号化された認証位置情報）を含んでいる。このような認証要求フレームにより、無線通信端末装置１０５（ｘ）は、アクセスポイント１０１（ｘ）に対して、無線通信端末装置１０５（ｘ）がアクセスポイント１０１（ｘ）に接続可能である認証位置を通知する。
【０１５８】
次に、アクセスポイント１０１（ｘ）は、無線通信端末装置１０５（ｘ）からの認証要求フレームにより、上述したようにして無線通信端末装置１０５（ｘ）が現在存在する存在位置を検知する（ステップＳ７０５）。
【０１５９】
次に、アクセスポイント１０１（ｘ）は、ステップＳ７０５において無線通信端末装置１０５（ｘ）から受信した認証要求フレームに含まれる暗号化認証位置情報を、アクセスポイント１０１（ｘ）の秘密鍵で復号し、この結果と、同ステップで取得した無線通信端末装置１０５（ｘ）の存在位置情報とを比較し、この比較の結果により、無線通信端末装置１０５（ｘ）の存在位置が認証位置に含まれるか否かを検査する（ステップＳ７０６）。
【０１６０】
そして、アクセスポイント１０１（１）は、ステップＳ７０６での検査結果により、無線通信端末装置１０５（ｘ）の存在位置が認証位置に含まれる場合、無線通信端末装置１０５（ｘ）を認証し、その認証結果を無線通信端末装置１０５（ｘ）に対して通知する（ステップＳ７０７）。
【０１６１】
上記図７に示したステップＳ７０１〜ステップＳ７０７の処理が、無線通信端末装置１０５（ｘ）がアクセスポイント１０１（ｘ）を経由してネットワークに接続するまでの処理である。
【０１６２】
尚、ステップＳ７０４の認証要求から、ステップＳ７０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
また、無線通信端末装置１０５（ｘ）からアクセスポイント１０１（ｘ）への存在位置情報の通知は、認証要求フレームに含まずに、例えば、認証を行うためのデータ交換の中で行うようにしてもよい。
【０１６３】
ステップＳ７０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）を経由してネットワーク上に送出する。
【０１６４】
また、無線通信端末装置１０５（ｘ）は、無線部２１５により、ネットワークからアクセスポイント１０１（ｘ）を経由してデータを受信し、当該受信データを、インターフェイス部２１４を経由して本体機能部２２０に対して入力し、本体機能部２２０により、当該受信データのデータ処理を実行する。
【０１６５】
尚、ここでは暗号化方式として、公開暗号化方式を用いたが、これに限られることはなく、例えば、共通暗号化方式を用いるようにしてもよい。
【０１６６】
また、本実施の形態においては、アクセスポイント１０１（ｘ）がビーコンフレームを送信するように構成したが、これに限られることはなく、例えば、無線通信端末装置１０５（ｘ）がプローブ要求を送信し、これに対してアクセスポイント１０１（ｘ）がプローブ応答を送信するように構成してもよい。
また、本実施の形態は、上記従来の技術で説明した位置検知方法に対しても適用可能である。
【０１６７】
［第３の実施の形態］
本実施の形態では、無線通信端末装置１０５（ｘ）の内部構成を、例えば、図８に示すような構成とする。
すなわち、本実施の形態における無線通信端末装置１０５（ｘ）は、上記図２に示した構成に対して、カードリーダ部８０１及びカードリーダ制御部８０２を更に備える構成としている。
【０１６８】
尚、上記図８に示す無線通信端末装置１０５（ｘ）において、上記図２に示した無線通信端末装置１０５（ｘ）と同様に機能する構成部には同じ符号を付し、その詳細な説明は省略する。
また、ここでは、第１及び第２の実施の形態と異なる構成及び動作についてのみ、具体的に説明する。
【０１６９】
本実施の形態における無線通信端末装置１０５（ｘ）において、カードリーダ部８０１は、無線通信端末装置１０５（ｘ）が無線部２１５を経由してネットワークに接続することが許可される位置に関する情報（認証位置情報）が記憶されている着脱可能な記憶カード等の記憶媒体が装置内に挿入されると、当該記憶媒体から認証位置情報を読み出す。
このとき、カードリーダ制御部８０２は、カードリーダ部８０１での読出動作を制御する。
【０１７０】
比較部２１７は、位置計算部２１６で得られた存在位置情報と、カードリーダ部８０１により記憶媒体（不図示）から読み出された認証位置情報とを比較する。
【０１７１】
［第４の実施の形態］
本実施の形態では、アクセスポイント（ＡＰ）１０１（ｘ）の内部構成を、例えば、図９に示すような構成とする。
【０１７２】
すなわち、本実施の形態におけるＡＰ１０１（ｘ）は、上記図９に示すように、制御部９０７、記憶部９０６、比較部９０５、位置検知部９０４、無線部９０３、及び有線部９０２が、バス９０１を介して通信可能に接続された構成としている。
【０１７３】
制御部９０７は、バス９０１上の構成部９０２〜９０７を協調制御する。
有線部９０２は、ツイストペアケーブル等の有線を介してネットワークに接続され、当該ネットワークを介したデータ送受信を行う。
無線部９０３は、ビーコン等の管理データ、及び有線部９０２を介して入力されたデータを、無線通信空間を経由して無線通信端末装置１０５（ｘ）に対して送信し、また、無線通信空間を経由して送信されてきたデータを受信する。
【０１７４】
比較部９０５は、無線部９０３で受信された無線通信端末装置１０５（ｘ）からの認証要求フレームに含まれる存在位置情報と認証位置情報を比較する。
位置検知部９０４は、比較部９０５の比較の結果に基づき、無線通信端末装置１０５（ｘ）の存在位置が認証位置に含まれるか否かを検査する。
【０１７５】
記憶部９０６は、ＥＳＳＩＤ情報等を記憶すると共に、有線部９０２や無線部９０３による通信のための通信バッファ領域や、位置検知部９０４における計算のための一時記憶バッファ領域を提供する。
【０１７６】
以下、上記図９に示したＡＰ１０１（ｘ）の動作の一例について、上記図４及び図７を用いて説明する。
【０１７７】
＜ＡＰ１０１（ｘ）の動作例（１）：上記図４参照＞
【０１７８】
先ず、ＡＰ１０１（１），１０１（２）はそれぞれ、無線部９０３により、記憶部９０６に記憶している、自アクセスポイントが所属するネットワークのＩＤ（識別子）であるＥＳＳＩＤを含むビーコンを定期的に送信する（ステップＳ４０１、ステップＳ４０２）。
【０１７９】
次に、新規にネットワークと接続したい無線通信端末装置１０５（ｘ）は、無線部２１５により、ＡＰ１０１（１），１０１（２）からビーコンを受信する。
無線通信端末装置１０５（ｘ）において、無線部２１５は、ＡＰ１０１（１），１０１（２）からのビーコンの信号強度を、位置計算部２１６に対して出力する。
位置計算部２１６は、無線部２１５からの信号強度により、上述したようにして、自無線通信端末装置１０５（ｘ）の現在存在する位置を検知する（ステップＳ４０３）。
【０１８０】
次に、無線通信端末装置１０５（ｘ）は、無線部２１５により受信したビーコンに対して、所望のＥＳＳＩＤが含まれているか否かを検査する（ステップＳ４０４）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【０１８１】
次に、無線通信端末装置１０５（ｘ）は、無線部２１５により、ステップＳ４０４で選択したビーコンを送信したアクセスポイント１０１（ｘ）に対して、認証要求フレームを送信する（ステップＳ４０５）。
ここでの認証要求フレームには、ステップＳ４０３で検知された存在位置情報、及び記憶部２１８に保持された認証位置情報を含んでいる。このような認証要求フレームにより、無線通信端末装置１０５（ｘ）は、アクセスポイント１０１（ｘ）に対して、無線通信端末装置１０５（ｘ）が現在存在する存在位置、及び無線通信端末装置１０５（ｘ）がアクセスポイント１０１（ｘ）に接続可能である認証位置を通知する。
【０１８２】
次に、アクセスポイント１０１（ｘ）は、無線部９０３により、無線通信端末装置１０５（ｘ）から認証要求フレームを受信すると、比較部９０５により、当該認証要求フレームに含まれる存在位置情報と認証位置情報を比較し、位置検知部９０４により、当該比較の結果に基づき、無線通信端末装置１０５（ｘ）の存在位置が認証位置に含まれるか否かを検査する（ステップＳ４０６）。
【０１８３】
そして、アクセスポイント１０１（１）は、ステップＳ４０６での検査結果により、無線通信端末装置１０５（ｘ）の存在位置が認証位置に含まれる場合、無線通信端末装置１０５（ｘ）を認証し、その認証結果を、無線部９０３により、無線通信端末装置１０５（ｘ）に対して通知する（ステップＳ４０７）。
【０１８４】
上記図４に示したステップＳ４０１〜ステップＳ４０７の処理が、無線通信端末装置１０５（ｘ）がアクセスポイント１０１（ｘ）を経由してネットワークに接続するまでの処理である。
【０１８５】
尚、ステップＳ４０５の認証要求から、ステップＳ４０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
また、無線通信端末装置１０５（ｘ）からアクセスポイント１０１（ｘ）への存在位置情報の通知は、認証要求フレームに含まずに、例えば、認証を行うためのデータ交換の中で行うようにしてもよい。
【０１８６】
ステップＳ４０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）に対して送信する。
【０１８７】
アクセスポイント１０１（ｘ）は、無線部９０３により、無線通信端末装置１０５（ｘ）からのデータを受信し、当該受信データを、必要に応じて有線部９０２を介してネットワーク上に送出する。
また、アクセスポイント１０１（ｘ）は、有線部９０２によりネットワークから取得したデータを、無線部９０３により、無線通信端末装置１０５（ｘ）に対して送信する。
【０１８８】
無線通信端末装置１０５（ｘ）は、無線部２１５により、ネットワークからアクセスポイント１０１（ｘ）からのデータを受信し、当該受信データを、インターフェイス部２１４を経由して本体機能部２２０に対して入力し、本体機能部２２０により、当該受信データのデータ処理を実行する。
【０１８９】
＜ＡＰ１０１（ｘ）の動作例（２）：上記図７参照＞
【０１９０】
先ず、ＡＰ１０１（１），１０１（２）はそれぞれ、無線部９０３により、記憶部９０６に記憶している、自アクセスポイントが所属するネットワークのＩＤ（識別子）であるＥＳＳＩＤを含むビーコンを定期的に送信する（ステップＳ７０１、ステップＳ７０２）。
【０１９１】
次に、新規にネットワークと接続したい無線通信端末装置１０５（ｘ）は、無線部２１５により、ＡＰ１０１（１），１０１（２）からビーコンを受信し、当該受信ビーコンに対して、所望のＥＳＳＩＤが含まれているか否かを検査する（ステップＳ７０３）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【０１９２】
次に、無線通信端末装置１０５（ｘ）は、無線部２１５により、ステップＳ７０３で選択したビーコンを送信したアクセスポイント１０１（ｘ）に対して、認証要求フレームを送信する（ステップＳ７０４）。
ここでの認証要求フレームには、記憶部２１８に保持された認証位置情報を含んでいる。このような認証要求フレームにより、無線通信端末装置１０５（ｘ）は、アクセスポイント１０１（ｘ）に対して、無線通信端末装置１０５（ｘ）がアクセスポイント１０１（ｘ）に接続可能である認証位置を通知する。
【０１９３】
次に、アクセスポイント１０１（ｘ）は、無線部９０３により、無線通信端末装置１０５（ｘ）からの認証要求フレームを受信すると、上述したようにして、位置検知部９０４により、無線通信端末装置１０５（ｘ）が現在存在する存在位置を検知する（ステップＳ７０５）。
【０１９４】
次に、アクセスポイント１０１（ｘ）は、比較部９０５により、ステップＳ７０５において無線通信端末装置１０５（ｘ）から受信した認証要求フレームに含まれる認証位置情報と、同ステップで取得した無線通信端末装置１０５（ｘ）の存在位置情報とを比較し、位置検知部９０４により、当該比較の結果に基づき、無線通信端末装置１０５（ｘ）の存在位置が認証位置に含まれるか否かを検査する（ステップＳ７０６）。
【０１９５】
そして、アクセスポイント１０１（１）は、ステップＳ７０６での検査結果により、無線通信端末装置１０５（ｘ）の存在位置が認証位置に含まれる場合、無線通信端末装置１０５（ｘ）を認証し、その認証結果を、無線部９０３により、無線通信端末装置１０５（ｘ）に対して通知する（ステップＳ７０７）。
【０１９６】
上記図７に示したステップＳ７０１〜ステップＳ７０７の処理が、無線通信端末装置１０５（ｘ）がアクセスポイント１０１（ｘ）を経由してネットワークに接続するまでの処理である。
【０１９７】
尚、ステップＳ７０４の認証要求から、ステップＳ７０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
また、無線通信端末装置１０５（ｘ）からアクセスポイント１０１（ｘ）への存在位置情報の通知は、認証要求フレームに含まずに、例えば、認証を行うためのデータ交換の中で行うようにしてもよい。
【０１９８】
ステップＳ７０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）に対して送信する。
【０１９９】
アクセスポイント１０１（ｘ）は、無線部９０３により、無線通信端末装置１０５（ｘ）からのデータを受信し、当該受信データを、必要に応じて有線部９０２を介してネットワーク上に送出する。
また、アクセスポイント１０１（ｘ）は、有線部９０２によりネットワークから取得したデータを、無線部９０３により、無線通信端末装置１０５（ｘ）に対して送信する。
【０２００】
無線通信端末装置１０５（ｘ）は、無線部２１５により、ネットワークからアクセスポイント１０１（ｘ）からのデータを受信し、当該受信データを、インターフェイス部２１４を経由して本体機能部２２０に対して入力し、本体機能部２２０により、当該受信データのデータ処理を実行する。
【０２０１】
尚、本実施の形態においては、アクセスポイント１０１（ｘ）がビーコンフレームを送信するように構成したが、これに限られることはなく、例えば、無線通信端末装置１０５（ｘ）がプローブ要求を送信し、これに対してアクセスポイント１０１（ｘ）がプローブ応答を送信するように構成してもよい。
【０２０２】
［第５の実施の形態］
本実施の形態では、上記図９に示したようなＡＰ１０１（ｘ）を設ける構成とした第４の実施の形態の構成において、無線通信端末装置１０５（ｘ）で保持されている認証位置情報が暗号化されているものとする。
以下、本実施の形態におけるＡＰ１０１（ｘ）の動作の一例について、上記図４及び図７を用いて説明する。
【０２０３】
＜ＡＰ１０１（ｘ）の動作例（１）：上記図４参照＞
尚、ここでは、無線通信端末装置１０５（ｘ）の記憶部２１８に保持されている認証位置情報は、アクセスポイント１０１（ｘ）の公開鍵により暗号化されているものとする。また、アクセスポイント１０１（ｘ）の秘密鍵は、アクセスポイント１０１（ｘ）が保有しているものとする。
【０２０４】
先ず、ＡＰ１０１（１），１０１（２）はそれぞれ、無線部９０３により、記憶部９０６に記憶している、自アクセスポイントが所属するネットワークのＩＤ（識別子）であるＥＳＳＩＤを含むビーコンを定期的に送信する（ステップＳ４０１、ステップＳ４０２）。
【０２０５】
次に、新規にネットワークと接続したい無線通信端末装置１０５（ｘ）は、無線部２１５により、ＡＰ１０１（１），１０１（２）からビーコンを受信する。
無線通信端末装置１０５（ｘ）において、無線部２１５は、ＡＰ１０１（１），１０１（２）からのビーコンの信号強度を、位置計算部２１６に対して出力する。
位置計算部２１６は、無線部２１５からの信号強度により、上述したようにして、自無線通信端末装置１０５（ｘ）の現在存在する位置を検知する（ステップＳ４０３）。
【０２０６】
次に、無線通信端末装置１０５（ｘ）は、無線部２１５により受信したビーコンに対して、所望のＥＳＳＩＤが含まれているか否かを検査する（ステップＳ４０４）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【０２０７】
次に、無線通信端末装置１０５（ｘ）は、無線部２１５により、ステップＳ４０４で選択したビーコンを送信したアクセスポイント１０１（ｘ）に対して、認証要求フレームを送信する（ステップＳ４０５）。
ここでの認証要求フレームには、ステップＳ４０３で検知された存在位置情報、及び記憶部２１８に保持された認証位置情報（暗号化認証位置情報）を含んでいる。このような認証要求フレームにより、無線通信端末装置１０５（ｘ）は、アクセスポイント１０１（ｘ）に対して、無線通信端末装置１０５（ｘ）が現在存在する存在位置、及び無線通信端末装置１０５（ｘ）がアクセスポイント１０１（ｘ）に接続可能である認証位置を通知する。
【０２０８】
次に、アクセスポイント１０１（ｘ）は、無線部９０３により、無線通信端末装置１０５（ｘ）から認証要求フレームを受信すると、当該認証要求フレームに含まれる認証位置情報（暗号化認証位置情報）を、記憶部９０６で保持している秘密鍵で復号し、比較部９０５により、復号結果と、当該認証要求フレームに含まれる存在位置情報とを比較し、位置検知部９０４により、当該比較の結果に基づき、無線通信端末装置１０５（ｘ）の存在位置が認証位置に含まれるか否かを検査する（ステップＳ４０６）。
【０２０９】
そして、アクセスポイント１０１（１）は、ステップＳ４０６での検査結果により、無線通信端末装置１０５（ｘ）の存在位置が認証位置に含まれる場合、無線通信端末装置１０５（ｘ）を認証し、その認証結果を、無線部９０３により、無線通信端末装置１０５（ｘ）に対して通知する（ステップＳ４０７）。
【０２１０】
上記図４に示したステップＳ４０１〜ステップＳ４０７の処理が、無線通信端末装置１０５（ｘ）がアクセスポイント１０１（ｘ）を経由してネットワークに接続するまでの処理である。
【０２１１】
尚、ステップＳ４０５の認証要求から、ステップＳ４０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
また、無線通信端末装置１０５（ｘ）からアクセスポイント１０１（ｘ）への存在位置情報の通知は、認証要求フレームに含まずに、例えば、認証を行うためのデータ交換の中で行うようにしてもよい。
【０２１２】
ステップＳ４０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）に対して送信する。
【０２１３】
アクセスポイント１０１（ｘ）は、無線部９０３により、無線通信端末装置１０５（ｘ）からのデータを受信し、当該受信データを、必要に応じて有線部９０２を介してネットワーク上に送出する。
また、アクセスポイント１０１（ｘ）は、有線部９０２によりネットワークから取得したデータを、無線部９０３により、無線通信端末装置１０５（ｘ）に対して送信する。
【０２１４】
無線通信端末装置１０５（ｘ）は、無線部２１５により、ネットワークからアクセスポイント１０１（ｘ）からのデータを受信し、当該受信データを、インターフェイス部２１４を経由して本体機能部２２０に対して入力し、本体機能部２２０により、当該受信データのデータ処理を実行する。
【０２１５】
尚、ここでは暗号化方式として、公開暗号化方式を用いたが、これに限られることはなく、例えば、共通暗号化方式を用いるようにしてもよい。
【０２１６】
＜ＡＰ１０１（ｘ）の動作例（２）：上記図７参照＞
尚、ここでは、記憶部２１８に保持されている認証位置情報は、アクセスポイント１０１（ｘ）の公開鍵により暗号化されているものとする。また、アクセスポイント１０１（ｘ）の秘密鍵は、アクセスポイント１０１（ｘ）が保有しているものとする。
【０２１７】
先ず、ＡＰ１０１（１），１０１（２）はそれぞれ、無線部９０３により、記憶部９０６に記憶している、自アクセスポイントが所属するネットワークのＩＤ（識別子）であるＥＳＳＩＤを含むビーコンを定期的に送信する（ステップＳ７０１、ステップＳ７０２）。
【０２１８】
次に、新規にネットワークと接続したい無線通信端末装置１０５（ｘ）は、無線部２１５により、ＡＰ１０１（１），１０１（２）からビーコンを受信し、当該受信ビーコンに対して、所望のＥＳＳＩＤが含まれているか否かを検査する（ステップＳ７０３）。
ここでは、無線通信端末装置１０５（ｘ）が、複数のＡＰ１０１（１），１０１（２）から複数のビーコンを受信するため、無線通信端末装置１０５（ｘ）は、これらの受信ビーコンから、所望のＥＳＳＩＤを含むビーコンを選択する。
【０２１９】
次に、無線通信端末装置１０５（ｘ）は、無線部２１５により、ステップＳ７０３で選択したビーコンを送信したアクセスポイント１０１（ｘ）に対して、認証要求フレームを送信する（ステップＳ７０４）。
ここでの認証要求フレームには、記憶部２１８に保持された認証位置情報（アクセスポイント１０１（ｘ）の公開鍵で暗号化された認証位置情報）を含んでいる。このような認証要求フレームにより、無線通信端末装置１０５（ｘ）は、アクセスポイント１０１（ｘ）に対して、無線通信端末装置１０５（ｘ）がアクセスポイント１０１（ｘ）に接続可能である認証位置を通知する。
【０２２０】
次に、アクセスポイント１０１（ｘ）は、無線部９０３により、無線通信端末装置１０５（ｘ）からの認証要求フレームを受信すると、上述したようにして、位置検知部９０４により、無線通信端末装置１０５（ｘ）が現在存在する存在位置を検知する（ステップＳ７０５）。
【０２２１】
次に、アクセスポイント１０１（ｘ）は、ステップＳ７０５において無線通信端末装置１０５（ｘ）から受信した認証要求フレームに含まれる暗号化認証位置情報を、記憶部９０６で保持しているの秘密鍵で復号し、比較部９０５により、復号結果と、同ステップで取得した無線通信端末装置１０５（ｘ）の存在位置情報とを比較し、位置検知部９０４により、当該比較の結果に基づき、無線通信端末装置１０５（ｘ）の存在位置が認証位置に含まれるか否かを検査する（ステップＳ７０６）。
【０２２２】
そして、アクセスポイント１０１（１）は、ステップＳ７０６での検査結果により、無線通信端末装置１０５（ｘ）の存在位置が認証位置に含まれる場合、無線通信端末装置１０５（ｘ）を認証し、その認証結果を、無線部９０３により、無線通信端末装置１０５（ｘ）に対して通知する（ステップＳ７０７）。
【０２２３】
上記図７に示したステップＳ７０１〜ステップＳ７０７の処理が、無線通信端末装置１０５（ｘ）がアクセスポイント１０１（ｘ）を経由してネットワークに接続するまでの処理である。
【０２２４】
尚、ステップＳ７０４の認証要求から、ステップＳ７０７の認証完了までの間の処理で、上記図１２を用いて説明したような、無線通信端末装置と、当該無線通信端末装置が接続を欲するアクセスポイントとの間で認証を行うためのデータ交換を所定回数行うようにしてもよい。
また、無線通信端末装置１０５（ｘ）からアクセスポイント１０１（ｘ）への存在位置情報の通知は、認証要求フレームに含まずに、例えば、認証を行うためのデータ交換の中で行うようにしてもよい。
【０２２５】
ステップＳ７０７において、アクセスポイント１０１（ｘ）から無線通信端末装置１０５（ｘ）に対して、認証結果として認証成功が通知された後、すなわち無線通信端末装置１０５（ｘ）がネットワークに接続した後、無線通信端末装置１０５（ｘ）は、本体機能部２２０により生成したデータを、インターフェイス部２１４を経由して通信部２１０内に取り込み、無線部２１５により、アクセスポイント１０１（ｘ）に対して送信する。
【０２２６】
アクセスポイント１０１（ｘ）は、無線部９０３により、無線通信端末装置１０５（ｘ）からのデータを受信し、当該受信データを、必要に応じて有線部９０２を介してネットワーク上に送出する。
また、アクセスポイント１０１（ｘ）は、有線部９０２によりネットワークから取得したデータを、無線部９０３により、無線通信端末装置１０５（ｘ）に対して送信する。
【０２２７】
無線通信端末装置１０５（ｘ）は、無線部２１５により、ネットワークからアクセスポイント１０１（ｘ）からのデータを受信し、当該受信データを、インターフェイス部２１４を経由して本体機能部２２０に対して入力し、本体機能部２２０により、当該受信データのデータ処理を実行する。
【０２２８】
尚、ここでは暗号化方式として、公開暗号化方式を用いたが、これに限られることはなく、例えば、共通暗号化方式を用いるようにしてもよい。
【０２２９】
また、本実施の形態においては、アクセスポイント１０１（ｘ）がビーコンフレームを送信するように構成したが、これに限られることはなく、例えば、無線通信端末装置１０５（ｘ）がプローブ要求を送信し、これに対してアクセスポイント１０１（ｘ）がプローブ応答を送信するように構成してもよい。
【０２３０】
［第６の実施の形態］
本発明の目的は、第１〜第５の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１〜第５の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１〜第５の実施の形態の機能が実現されるだけでなく、そのプログラムコードの指示に基づき、コンピュータ上で稼動しているＯＳ等が実際の処理の一部又は全部を行い、その処理によって第１〜第５の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１〜第５の実施の形態の機能が実現される場合も含まれることは言うまでもない。
【０２３１】
【発明の効果】
以上説明したように本発明では、ネットワーク内のアクセスポイントを介して無線通信する通信装置（或いは無線端末）が、アクセスポイント（親機等）を介した無線通信が可能である位置に関する情報である認証位置情報を記憶（保持）するように構成した。すなわち、認証位置情報と、通信装置（無線端末）が現在存在する存在に関する情報とを比較する等して、通信装置（無線端末）がアクセスポイントに接続可能であるか否かを決定するための、当該認証位置情報を、アクセスポイントではなく、通信装置（或いは無線端末）が保持するように構成した。
【０２３２】
上記のような構成により、従来のように、アクセスポイント（親機或いは親機に接続されたサーバ等）が、認証位置情報を保持するためのデータベース等を具備する必要がない。また、区別したい位置（グループ）毎にアクセスポイントを設置する必要もない。
よって、本発明によれば、コスト削減を図りつつ、容易且つ効率的に無線通信が行える。
【図面の簡単な説明】
【図１】第１の実施の形態において、本発明を適用した無線ネットワークシステムの構成を示すブロック図である。
【図２】上記無線ネットワークシステムの無線通信端末装置の構成を示すブロック図である。
【図３】上記無線ネットワークシステムの動作例（１）を説明するための図である。
【図４】上記無線ネットワークシステムの動作例（２）を説明するための図である。
【図５】上記無線ネットワークシステムの動作例（３）を説明するための図である。
【図６】上記無線ネットワークシステムの動作例における構成を説明するための図である。
【図７】上記無線ネットワークシステムの動作例（４）を説明するための図である。
【図８】第３の実施の形態において、上記無線通信端末装置の構成を示すブロック図である。
【図９】第４の実施の形態において、上記無線ネットワークシステムのアクセスポイントの構成を示すブロック図である。
【図１０】従来の無線ネットワークシステムの構成を示すブロック図である。
【図１１】従来の無線ネットワークシステムの他の構成を示すブロック図である。
【図１２】従来の無線ネットワークシステムの動作例（１）を説明するための図である。
【図１３】従来の無線ネットワークシステムの動作例（２）を説明するための図である。
【図１４】従来の無線ネットワークシステムの動作例（３）を説明するための図である。
【符号の説明】
１００　無線ネットワークシステム
１０１（１），１０１（２）　アクセスポイント
１０３（１），１０３（２）　受信可能範囲
１０５（１）〜１０５（３）　無線通信端末装置
１０８（１）〜１０８（３）　受信可能範囲内の位置
２１０　通信部
２１３　バス
２１４　インターフェース部
２１５　無線部
２１６　位置計算部
２１７　比較部
２１８　記憶部
２１９　制御部
２２０　本体機能部
【図１】
2004015228.tif 000003
【図２】
2004015228.tif 000004
【図３】
2004015228.tif 000005
【図４】
2004015228.tif 000006
【図５】
2004015228.tif 000007
【図６】
2004015228.tif 000008
【図７】
2004015228.tif 000009
【図８】
2004015228.tif 000010
【図９】
2004015228.tif 000011
【図１０】
2004015228.tif 000012
【図１１】
2004015228.tif 000013
【図１２】
2004015228.tif 000014
【図１３】
2004015228.tif 000015
【図１４】
2004015228.tif 000016